(57)【要約】【課題】  コピーワンスの制限を崩すことなく、録画した放送番組のバックアップを生成可能にすることにより、ユーザーの利便性を向上することができる録画装置及び録画方法を提供する。【解決手段】  本発明の録画装置は、放送波を選局するチューナー１０１と、選局されたデータをデコードするデコーダー１０２と、デコードされたデータを記録する記録部１０３と、記録されたデータを出力する出力部１０４と、再放送を検出するためのデータを生成するＣＰＵ１０５と、前記再放送検出を行うためのデータを記憶するメモリー１０６と、を有する。【選択図】  図１
2008271104.tif 000002
【特許請求の範囲】
【請求項１】
デジタル放送を受信して、放送番組を録画する録画装置において、
該放送番組の番組データを記録する記録手段と、
該記録手段に記録された放送番組の番組情報を記憶する記憶手段と、
該番組情報にもとづいて、該記録手段に記録された放送番組の再放送の有無を検出する検出手段と、
該再放送がある場合に、該再放送された番組の番組データを記録するように該記録手段を制御する制御手段とを有することを特徴とする録画装置。
【請求項２】
前記制御手段は、ユーザーの操作にもとづき、前記記録手段に記録された放送番組の番組データを、外部に接続された記録手段に出力するように出力手段を制御することを特徴とする請求項１記載の録画装置。
【請求項３】
デジタル放送を受信して、放送番組を録画する録画装置において、
該放送番組の番組データを記録する第１の記録手段と、
該第１の記録手段に記録された放送番組の番組情報を記憶する記憶手段と、
該番組情報にもとづいて、該第１の記録手段に記録された放送番組の再放送の有無を検出する検出手段と、
該再放送がある場合に、該再放送された再放送番組の番組データを該第１の記録手段に記録するように該第１の記録手段を制御し、
該第１の記録手段に記録された、前記放送番組の番組データまたは前記再放送番組の番組データの何れかを第２の記録手段にムーブする制御手段とを有することを特徴とする録画装置。
【請求項４】
前記第２の記録手段は、取り外し可能な記録媒体であることを特徴とする請求項３記載の録画装置。
【請求項５】
デジタル放送を受信して、放送番組を録画する録画装置において、
該放送番組の番組データを記録する第１の記録手段と、
該第１の記録手段に記録された放送番組の番組情報を記憶する記憶手段と、
該番組情報にもとづいて、該第１の記録手段に記録された放送番組の再放送の有無を検出する検出手段と、
該再放送がある場合に、該再放送された再放送番組の番組データを第２の記録手段に記録するように該第２の記録手段を制御する制御手段とを有することを特徴とする録画装置。
【請求項６】
前記放送番組は、コピー制限が課された番組である請求項１〜５記載の録画装置。
【請求項７】
デジタル放送を受信する受信手段と、受信した放送番組を録画する記録手段とを有する録画装置において、
該放送番組はコピー制限された番組であって、
該記録手段に記録された放送番組の番組情報を記憶する記憶手段と、
該番組情報にもとづいて、該記録手段に記録された放送番組の再放送の有無を検出する検出手段と、
該再放送がある場合に、該再放送される再放送番組を受信するように該受信手段を制御するとともに、前記番組のコピー制限回数を増加させる制御手段とを有することを特徴とする録画装置。
【請求項８】
前記検索手段は、前記番組情報のジャンル情報にもとづいて、検索条件を決定することを特徴とする請求項１〜７に記載の録画装置。
【請求項９】
デジタル放送を受信して、放送番組を録画する録画方法において、
該放送番組の番組データを記録する記録ステップと、
前記記録ステップで記録された放送番組の番組データを、外部に接続された記録手段に出力するように指示する指示ステップと、
前記指示ステップで指示された放送番組の番組情報を記憶する記憶ステップと、
該番組情報にもとづいて、該記録ステップで記録された放送番組の再放送の有無を検出し、
該再放送がある場合に、該再放送された再放送番組の番組データを記録する制御ステップとを有することを特徴とする録画方法。
【発明の詳細な説明】
【技術分野】
【０００１】
本発明は、テレビジョン放送を受信して放送番組を録画する録画装置及び録画方法に関する。
【背景技術】
【０００２】
映像コンテンツのコピー防止方法として、例えばＶＨＳビデオ等のアナログメディアでは、マクロビジョン方式などが一般的である。
【０００３】
デジタルメディアでは全く劣化のないコピーが可能となるため、デジタル著作権管理ＤＲＭ（Ｄｉｇｉｔａｌ  Ｒｉｇｈｔｓ  Ｍａｎａｇｅｍｅｎｔ）が必須となる。
【０００４】
例えば、デジタルインターフェイスである、ＩＥＥＥ１３９４ではＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が採用され、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ではＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）が採用されている。
【０００５】
また、ＤＶＤ−ＶｉｄｅｏソフトではＣＳＳ（Ｃｏｎｔｅｎｔ  Ｓｃｒａｍｂｌｅ  Ｓｙｓｔｅｍ）が広く採用されている。
【０００６】
デジタル放送ではＤＲＭとして限定受信方式Ｂ−ＣＡＳ（ＢＳ  Ｃｏｎｄｉｔｉｏｎａｌ  Ａｃｃｅｓｓ  Ｓｙｓｔｅｍｓ）が採用されている。これはＢ−ＣＡＳカードと呼ばれる接触型のＩＣカードを受信機に挿入することによって方送受信を可能とするものである。当初はＢＳデジタル放送に限定されていたが、現在では地上波デジタル放送にも適用されている。
【０００７】
現在運用中のＢ−ＣＡＳ方式はＣＧＭＳ  （Ｃｏｐｙ  Ｇｅｎｅｒａｔｉｏｎ  Ｍａｎａｇｅｍｅｎｔ  Ｓｙｓｔｅｍ）に適応している。ＣＧＭＳは映像信号にコピー管理情報をのせておき、録画機側で前記コピー管理情報に従った動作をさせるものである。
【０００８】
Ｂ−ＣＡＳ方式のＣＧＭＳは一般にはコピーワンスと呼ばれている。コピーワンスはＤＲＭの中でも特に厳しい制限を設けたものである。すなわち、「一世代のみ複製許可」である。
【０００９】
録画機においては、コピーワンス放送番組を録画するためにＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）方式が採用されている。
【００１０】
ＣＰＲＭで録画した番組は暗号化されているため、ＣＰＲＭに対応した機器でしか観ることができない。
【００１１】
また、ＤＶＤ−Ｒなどのメディアに録画する場合はＣＰＲＭに対応したメディアでなければならない。このため、市場に大量に出回っている安価なＤＶＤ−Ｒにはコピーワンス番組は録画できない場合が多い。
【００１２】
録画機の仕様としてハードディスク（ＨＤＤ）レコーダーとＤＶＤレコーダーの両方の機能を併せ持つものがある。この場合、コピーワンス番組をＨＤＤに一旦録画しておき、後からＤＶＤにバックアップを保存するということができない。バックアップを作ろうとしてＤＶＤに録画指示を行うと、コピーではなくムーブになってしまう。すなわちバックアップの作成が不可能になってしまっている。
【００１３】
コピーワンスではバックアップが取れないというユーザーの不便があるので、コピーワンスの枠組みを崩さないようにしてバックアップを作成できるような手法が切望されている。
【００１４】
下記特許文献１では、ネットワークを介して複数の機器をひとつの機器のように扱うという手法が開示されている。この手法によればＧＵＩ（Ｇｒａｐｈｉｃａｌ  Ｕｓｅｒ  Ｉｎｔｅｒｆａｃｅ）上でユーザーが必要なコピーワンス番組のコピー数を指示することによって、複数の録画装置で同時録画を行い、必要な数だけの番組データが録画できるというものである。
【００１５】
下記特許文献２では、第１媒体にコンテンツの管理情報を記録しておく手法が開示されている。この手法によれば、ＨＤＤのような第１媒体からＤＶＤのような第２媒体にバックアップを作成する際は暗号化して記録し、当該第２媒体のコンテンツを視聴する際はコンテンツ管理情報に基づき第１媒体にコンテンツを移して再生するというものである。
【特許文献１】特開２００５−２４４５７６号公報
【特許文献２】特開２００６−１９５９７３号公報
【発明の開示】
【発明が解決しようとする課題】
【００１６】
しかし、特許文献１の方法では複数の録画機器が必要となり、一般家庭のユーザーの実情には合わないものであった。
【００１７】
また、特許文献２の方法ではコンテンツ管理情報を記録している第１媒体が破損してしまうと第２媒体に記録したコンテンツも見られなくなってしまうことから、実質上のバックアップとは言えないものであった。
【００１８】
本発明は、単一の録画装置で自動的に複数回録画を行うものである。本発明の目的は、ユーザーが複数の録画機器をそろえることなく、同一コンテンツの複数の番組データを保持することが可能な録画装置および録画方法を提供することにある。
【００１９】
本発明によれば、同一コンテンツの複数の番組データを保持することが可能になる。最初にコンテンツを保存した媒体が破損しても番組データが保存されるので、本来の意味でのバックアップを残すことができる。
【課題を解決するための手段】
【００２０】
上記課題を解決するために、本発明は、デジタル放送を受信して、放送番組を録画する録画装置において、
該放送番組の番組データを記録する記録手段と、
該記録手段に記録された放送番組の番組情報を記憶する記憶手段と、
該記録手段に記録された放送番組の番組データを、外部に接続された記録手段に出力する出力手段と、
該番組情報にもとづいて、該記録手段に記録された放送番組の再放送の有無を検出する検出手段と、
該再放送がある場合に、該再放送された再放送番組の番組データを記録するように該記録手段を制御する制御手段とを有することを特徴とする。
【発明の効果】
【００２１】
本発明によれば、放送番組のコピーワンスの制限を保持しながら、録画コンテンツのバックアップの作成が可能となり、ユーザーの利便性を向上させることができる。
【００２２】
元々、バックアップをとる目的はデータの破損などに備えるためのものである。アナログメディアの場合なら、時間の経過や再生頻度によって画質の劣化が発生するために、早い時期でのバックアップが必要であった。しかし、デジタルメディアの場合、基本的にアナログメディアのような画質の劣化はないので、アナログメディアのように急いでバックアップをとる必要はない。
【００２３】
即ち、ムーブなどのデータを損なう危険を伴う操作を行う際にバックアップがあれば良いので、本発明はデジタルメディアに対して好適である。
【００２４】
また、デジタルメディアにおいてもメディア自体の劣化によってデータを損なうことはある。ＤＶＤ−ＲＯＭのような再生専用メディアよりＤＶＤ−Ｒのような追記録可能なメディアの方が寿命は短いので、本発明は追記録可能なメディアに対して好適である。
【発明を実施するための最良の形態】
【００２５】
（実施例１）
図１０は本発明の録画装置を用いたシステム構成例を示す図である。
【００２６】
録画装置１に、表示装置２及びＤＶＤレコーダ等の外部録画装置４が接続されている。録画装置１は、リモコン３を用いてユーザーにより操作される。
【００２７】
図１は本発明の録画装置１の基本構成を表すブロック図である。
【００２８】
デジタル放送波はアンテナ１０７で受信され、チューナー１０１に入力する。
【００２９】
チューナー１０１は、ユーザーの指示によりチャンネル選局を行う。ユーザーの指示はリモコン３などのユーザーインターフェイスによって行われる。ユーザーの指示はＣＰＵ１０５によってデコードされてチューナー１０１に伝送される。
【００３０】
デコーダー１０２は、チューナー１０１で選局されたチャンネルの放送番組をデコードして画像データおよび音声データとして出力する。
【００３１】
大容量記録部１０３（記録手段）は、画像データ及び音声データを番組データとして記録する。本例では大容量記録部１０３はハードディスク（ＨＤＤ）である。
【００３２】
出力部１０４は外部の表示装置２、もしくは外部の記録装置に番組データを出力する。出力部１０４は、番組データを各外部接続装置のインターフェイスに適したデータ形式に変換して出力する。
【００３３】
ＣＰＵ１０５（制御手段）は、リモコン３からユーザーの指示を受けて、各ブロックへ動作指示を行う。ＣＰＵ１０５はユーザーの指示内容に従って自動で大容量記録部１０３から番組情報を入手し、再放送検出リストを生成する。
【００３４】
メモリー１０６（記憶手段）は、ＣＰＵ１０５が生成した再放送検出リストを記録する。メモリー１０６はＣＰＵ１０５の指示により前記再放送検出リストの出力および更新を行う。
【００３５】
本発明の録画動作を図２のフローチャートを用いて説明する。
【００３６】
本例では既に番組録画が何度か行われており、複数のコンテンツの番組データが大容量記録部１０３に記録されているものとする。ここで、記録されているコンテンツがデジタル放送により入力したコンテンツの場合、一般的にコピーワンスのコピー制限が課されており、コピーはできない。この場合、コピー操作を行おうとしても動作不可になってしまうか、ムーブ動作に切り替わるようになっている。
【００３７】
ユーザーが表示装置２に表示されたグラフィックユーザーインターフェイス（ＧＵＩ）から録画済みのコンテンツを選択し、ムーブ操作を行う（Ｓ２０１）。
【００３８】
この時のムーブ先は出力部１０４を介して、外部の録画装置４となる。
【００３９】
ＣＰＵ１０５は新たなＧＵＩ画面を起動し、いまユーザーがムーブしようとしているコンテンツの再放送録画予約を行うか否かをユーザーに問いかける（Ｓ２０２）。
【００４０】
ユーザーが「再放送録画予約をしない」を選択した場合は、そのままムーブ動作を行う（Ｓ２０３）。
【００４１】
ユーザーが「再放送録画予約をする」を選択した場合は、ＣＰＵ１０５は再放送検出リスト生成を行い（Ｓ２０４）、ムーブ動作を行う（Ｓ２０５）。
【００４２】
ＣＰＵ１０５は大容量記録部１０３からユーザーがムーブを行おうとしているコンテンツの番組情報を取得する。取得情報は番組タイトル、放送日時、出演者等の情報である。
【００４３】
ＣＰＵ１０５は、取得したコンテンツ情報を元に、現在取得済みの電子番組表（ＥＰＧ）内に該当コンテンツの再放送があるか否かを検索する（Ｓ２０６）。
【００４４】
該当するコンテンツが検出された場合は、該当コンテンツの録画予約を行う（Ｓ２０７）。
【００４５】
該当コンテンツが検出されなかった場合は、Ｓ２０８のステータスになり、ＥＰＧの取得タイミング待ちになる。
【００４６】
ＥＰＧは一般には１週間分だけが取得保持されている。ＥＰＧは定期的に更新され、最新のＥＰＧが取得できるようになっている。
【００４７】
最新のＥＰＧが取得されると（Ｓ２０９）、ＣＰＵ１０５はメモリー１０６に再放送検出リストがあるか否かを検出する（Ｓ２１０）。
【００４８】
再放送検出リストが無い場合は、再びＳ２０８のステータスになり、ＥＰＧの取得タイミング待ちになる。
【００４９】
再放送検出リストがある場合は、当該リストに記載されたコンテンツ情報を元に、最新のＥＰＧ内に該当コンテンツの再放送の有無を検索する（Ｓ２０６）。
【００５０】
該当するコンテンツが検出された場合は、該当コンテンツの録画予約を行う（Ｓ２０７）。
【００５１】
上記説明によれば、再放送検出リストに記載されるコンテンツ情報は常にひとつであり、新しい再放送検出リストが生成されると古い再放送検出リストは上書きされてしまう。
【００５２】
上書きする際にはＧＵＩなどを用いてユーザーに古いリストを削除しても良いか確認する手段も備えることができる。
【００５３】
また、前述のような単一リストではなく、ムーブ操作を行う毎に再放送検出リストにコンテンツの情報が追記されていくようにしても良い。この場合、再放送検出リストをユーザーが閲覧し、削除等が行えるようにすると良い。
【００５４】
次に図３のＥＰＧの表示例を参考に該当コンテンツ検索方法を説明する。
【００５５】
図３はＥＰＧを時間軸とチャンネルのマトリクス型で表したものである。縦軸に時間、横軸にチャンネルを表している。各マトリクスの枠には番組タイトル、出演者などの情報が表示される。
【００５６】
図３に示すように番組タイトルの後に四角で囲まれた文字が現れることがある。「再」は再放送、「新」は新番組、「Ｓ」はステレオ放送、「二」は二ヶ国語放送、を表している。これらの番組情報は、デジタル放送のメタデータとして取得される。つまり、メタデータの再放送情報と番組タイトルから再放送番組の検索を行うことができる。連続ドラマ等ならば第何話目か、もしくはサブタイトルの情報もメタデータに記載されているので、これらの情報からコンテンツの選定を行うことができる。
【００５７】
ここで、再放送番組の場合、元のタイトルにない補助タイトルが追加されていることが多い。図３の例で示すと、二本テレビの４時枠の「アンコールアワー」、同じく二本テレビの５時枠の「チャンネルＡ」、テレビ夕日の５時枠の「ドラマ５」、などが追加された補助タイトルである。
【００５８】
したがって、タイトルの全文一致の検索を行うとこれらの補助タイトルが追加されたコンテンツが除外されてしまう。
【００５９】
そこで、前述の補助タイトルを除外した形で検索がかけられるように検索条件を設定することも必要である。
【００６０】
同様に、検索対象となる該当コンテンツが映画などの場合、「水曜ロードショー」や「ミッドナイトロードショー」「シネマアワー」などのように放送回ごとに補助タイトルが変わりやすい。従って、コンテンツのジャンルが映画のときは、補助タイトルも除外して検索するのが有効である。（図３：テレビ夕日の７時〜８時枠参照）
また、映画の場合、同じコンテンツが放送されても通常は「再放送」という区別はされない。さらに、異なるチャンネルで放送される場合もある。
【００６１】
したがって、検索対象となる該当コンテンツが映画の場合は検索条件から「再放送」や「放送チャンネル」を除外して、「タイトル」や「出演者」などの情報から検索を行うようにする。
【００６２】
このようにコンテンツの番組情報の１つであるジャンル情報にもとづいて検索条件を決定することによって検索精度をあげることができる。上記コンテンツ検索手法をフローで表すと図１１のようになる。
【００６３】
また、ドラマやバラエティ番組の場合、通常の再放送とは別に「総集編」という形での放送もある。（図３：二本テレビの７時〜８時枠参照）
総集編の場合も「再放送」という区別はされない。総集編は、正確には、ムーブされた番組のバックアップにはならないが、関連番組として視聴できるので、検索対象とするのが望ましい。即ち、本発明における再放送番組には、総集編形式で放送される番組も含む。特にバラエティ番組の場合、総集編でのみ再放送を行うというケースが少なくない。
【００６４】
そこで、総集編があるジャンルについては、別途総集編も検索できるように検索条件を設定しておくと良い。そして、検索結果として総集編を検出した場合は「録画おすすめ番組」に登録する。「録画おすすめ番組」に情報が新規登録されると、録画機本体のＬＥＤ、もしくはＧＵＩへのアイコン表示などの手段によってユーザーに新規情報があることを知らせる。そこでユーザーからの録画指示があれば、録画予約を行う。
【００６５】
上記、コンテンツ検索のジャンルごとの検索条件例を表に表したものを図１２に示す。図１２の表の横軸はジャンルを表し、縦軸は検索条件を表している。各ジャンルに当てはまる検索条件には○印をつけてある。
【００６６】
（実施例２）
以下の実施例では実施例１との相違点を記載する。
【００６７】
実施例２では、ユーザーが最初に録画予約を行う時に、ユーザーの選択によって、再放送の検索を行うか否かを決める。
【００６８】
図４は実施例２の動作の流れを示すフローチャートである。
【００６９】
ユーザーがリモコン３を用いて録画予約操作を行う。通常の録画予約手続きはここで完了する（Ｓ４０１）。
【００７０】
そのときに、ＧＵＩ等により、ユーザーに現在録画予約を行った番組の再放送予約も行うかを確認する（Ｓ４０２）。
「再放送予約をしない」を選択した場合は、そのまま終了する（Ｓ４０４）。
「再放送予約をする」を選択した場合は、メタデータから現在予約しようとしている番組の番組情報を取得し、再放送検出リストに追加する。（Ｓ４０３）
ここで、メタデータは、録画予約を行う際の現在保持しているＥＰＧから取得する。
【００７１】
再放送検出リストに追加した後は、ＥＰＧが更新されるごとに番組情報検索を行い、合致する番組情報があった場合は録画予約を行う。
【００７２】
（実施例３）
実施例３は、再放送録画の時に、実際に録画動作を行うのではなく、擬似録画予約を行って、コピーワンスの制限を段階的に解除するする手法である。
【００７３】
図５は実施例３の動作の流れを示すフローチャートである。
【００７４】
ユーザーがＧＵＩもしくはハードウェアスイッチによって、再放送検出設定をＯＮにする（Ｓ５０１）。
【００７５】
ＣＰＵ１０５は、大容量記録部１０３に録画されているコンテンツの番組情報を取得して再放送検出リストに追加する（Ｓ５０２）。
【００７６】
ＣＰＵ１０５は再放送検出リストを元にＥＰＧデータ内を検索し、該当するコンテンツの再放送があるか否かを検出する（Ｓ５０３）。
【００７７】
該当するコンテンツの再放送が無ければ次のＥＰＧの更新タイミングまで待機状態（Ｓ５０５）となり、再放送検出リストはメモリー１０６に格納される。
【００７８】
該当するコンテンツの再放送があった場合は、該当コンテンツの再放送の擬似録画予約を行う（Ｓ５０４）。
【００７９】
擬似録画予約とは、実施に録画を行うのではなく、録画予定時間にチューナー１０１（受信手）を当該録画予約のチャンネルにあわせて、あたかも録画を行っているかのように動作するものである。したがって、擬似録画によって、大容量記録部１０３の記録残量は変化しない。
【００８０】
最新ＥＰＧが取得されると（Ｓ５０６）、ＣＰＵ１０５はメモリー１０６を参照して再放送検出リストがあるか否かを検出する（Ｓ５０７）。
【００８１】
再放送検出リストが無ければ、Ｓ５０５の最新ＥＰＧ取得待ちの状態になる。
【００８２】
再放送検出リストがあれば、再び当該リストを元にＥＰＧデータ内を検索し、該当するコンテンツの再放送があるか否かを検出する（Ｓ５０３）。
【００８３】
このようにして、何度かのＥＰＧ検索によってコンテンツの擬似録画予約が行われ、当該擬似録画予約の予約時刻になると、「擬似録画中」のメッセージを表示装置２に表示させ、あたかも録画を行っているかのような状態になる。
【００８４】
再放送が完了すると（Ｓ５０８）、ＣＧＭＳで管理されているコピー制限回数を１インクリメントする（コピー制限回数を１つ増加させる）（Ｓ５０９）。
【００８５】
これによって、大容量記録部１０３の記録残量を損なわずにコピー制限回数を増やすことができる。
【００８６】
また、ムーブ操作時にも、コピー制限回数が２以上であれば、コンテンツデータを削除せずにコピー制限回数の操作のみでムーブが可能になるので、ムーブの安全性を向上させることもできる。
【００８７】
（実施例４）
実施例４は実施例２および３の手法を用いて、再放送検索を行っている時に、現在取得しているＥＰＧの中に再放送があるか否かを「録画済番組リスト」に表示し、ムーブのおすすめ状況をユーザーに知らせる手法である。
【００８８】
図６に録画済み番組リストの表示例を示す。
【００８９】
図６では４つのコンテンツが録画済みの状況を表している。
【００９０】
このうち、上から３番目の「梅子の一生」の右横にアイコンと文字が表示され、再放送日が迫っていることを知らせている。
【００９１】
ムーブおすすめ状況はアイコンの色などで表現しても良い。
【００９２】
例えば、一般的にＥＰＧは１週間分のデータを取得してくることから、再放送１週間前には白色、再放送日が近づくに従って段階的に青色が増してゆき、再放送が終了し再放送録画が完了すると青色から緑色となる。
【００９３】
このようにすることによって、一目で再放送の状況がわかるようになる。
【００９４】
実施例２の手法に実施例４の手法を用いる場合、同じコンテンツが２つ録画されることになるので、録画後には自動的に「ムーブ用」と「保存用」のアイコン表示を振り分けるようにすることもできる（図７参照）。この時、どちらをムーブ用にするかは予めユーザー設定で決められるようにする。また、録画後にユーザーが選択できるようにしても良い。
【００９５】
実施例３の手法に実施例４の手法を用いる場合の表示例を図８に示す。
【００９６】
擬似録画が終了するとコンテンツ右横のアイコンの色が変わり、さらにその右横にコピー制限回数が表示される。
【００９７】
このようにすることによって、再放送録画によって録画コンテンツが増えても録画済み番組リストの表示を見やすくすることが可能となる。
【００９８】
（実施例５）
実施例５は２つの記録部を備え、再放送録画により同じコンテンツが二つ溜まったら、自動でムーブを行う手法である。
【００９９】
実施例５のブロック図を図９に示す。
【０１００】
図９は実施例１で示した図１に第２の記録部１０８（第２の記録手段）を追加したものである。
【０１０１】
第１の記録部１０３（第１の記録手段）をＨＤＤとすると、第２の記録部１０８は、取り外し可能なリムーバブルＨＤＤやＤＶＤレコーダーなどの記録媒体でもよい。
【０１０２】
通常は第１の記録部１０３に録画が行われる。ユーザーは設定変更により自動ムーブ設定のＯＮ／ＯＦＦを切り換えることができる。以下、自動ムーブ設定をＯＮにした状態の説明を行う。
【０１０３】
実施例２〜４のいずれか、もしくは組み合わせた手法を用いて、再放送録画が行われると、第１の記録部１０３内に同一コンテンツが二つ存在する状態になる。ここでは説明を簡易にするためにＣＧＭＳによるコピー制限回数が２のときも同一コンテンツが二つ存在するとみなす。
【０１０４】
ＣＰＵ１０５が第１の記録部１０３内に同一コンテンツが二つ存在しているのを検知すると、当該コンテンツのいずれか一方を第２の記録部１０８にムーブする指示を出す。
【０１０５】
ムーブが完了すると表示装置２に「ムーブ完了」のメッセージを表示する。また、第２の記録部１０８の記録残量も表示し、記録残量が少なければメディアの交換を促すメッセージを表示する。
【０１０６】
また、以下のような方法も可能である。第１の記録装置１０３に記録されている放送番組の番組データをメモリー１０６に記憶し、ＣＰＵ１０５の制御により、メモリー１０６から読み出された番組データから再放送の有無を検索する。再放送がある場合には、再放送番組を自動的に第２の記録装置１０８に記録する。
【０１０７】
これによって、第２の記録部１０８に自動でバックアップが作成され、装置の寿命や不慮の事故によって第１の記録部１０３が破損した場合であっても番組データの保護を行うことが可能となる。
【図面の簡単な説明】
【０１０８】
【図１】本発明による録画装置の構成を示すブロック図
【図２】第１の実施例の動作を示すフローチャート
【図３】ＥＰＧの表示例
【図４】第２の実施例の動作を示すフローチャート
【図５】第３の実施例の動作を示すフローチャート
【図６】録画済み番組リストの表示例
【図７】録画済み番組リストの表示例
【図８】録画済み番組リストの表示例
【図９】第５の実施例による録画装置の構成を示すブロック図
【図１０】本発明による録画装置を用いたシステム構成例
【図１１】検索条件設定のフローチャート
【図１２】ジャンルごとの検索条件設定例
【符号の説明】
【０１０９】
１  本発明による録画装置
２  表示装置
３  リモコン
４  外部の録画装置
１０１  チューナー
１０２  デコーダー
１０３  大容量記録部
１０４  出力部
１０５  ＣＰＵ
１０６  メモリー
１０７  アンテナ
１０８  第２の記録部
【図１】
2008271104.tif 000003
【図２】
2008271104.tif 000004
【図３】
2008271104.tif 000005
【図４】
2008271104.tif 000006
【図５】
2008271104.tif 000007
【図６】
2008271104.tif 000008
【図７】
2008271104.tif 000009
【図８】
2008271104.tif 000010
【図９】
2008271104.tif 000011
【図１０】
2008271104.tif 000012
【図１１】
2008271104.tif 000013
【図１２】
2008271104.tif 000014